(57)【要約】【課題】  制御信号の長さを抑え、制御信号の受信の失敗を低減することが可能な制御装置を提供するものである。【解決手段】  所定のフォーマット内に複数種類の送信データを組み合わせてなる制御信号Ｃ１，Ｃ２を被制御装置（空気調和機）Ａに送信可能な制御装置（リモートコントローラ）１である。制御信号Ｃ１，Ｃ２の送信種類として、１種類の制御信号Ｃ１，Ｃ２の送信と、前記送信データの一部が異なる複数種類の制御信号Ｃ１，Ｃ２の連続送信と、が可能であり、制御信号Ｃ１，Ｃ２に、制御信号Ｃ１，Ｃ２の送信種類を判別する送信種類判別データ部Ｄ１，Ｄ２を設けてなることを特徴とする。【選択図】  図４
2010245827.tif 000002
【特許請求の範囲】
【請求項１】
所定のフォーマット内に複数種類の送信データを組み合わせてなる制御信号を被制御機器に送信可能な制御装置において、
前記制御信号の送信種類として、１種類の前記制御信号のみの送信と、前記送信データの一部が異なる複数種類の前記制御信号の連続送信と、が可能であり、
前記制御信号に、前記制御信号の送信種類を判別する送信種類判別データ部を設けてなることを特徴とする制御装置。
【発明の詳細な説明】
【技術分野】
【０００１】
本発明は、所定のフォーマット内に複数種類のデータを組み合わせて被制御機器に送信する制御装置に関する。
【背景技術】
【０００２】
従来、例えば空気調和機のリモートコントローラなどの制御装置は、スイッチなどの操作部を操作することによって、制御信号を送信するものである。この制御信号は、一群のデータからなり、所定のフォーマットで構成されている。
【０００３】
この制御信号は、リーダ、カスタムコード、パリティ、データコードおよびトレーラ等の各種送信データを組み合わせてなるものである（下記、特許文献１参照）。
【先行技術文献】
【特許文献】
【０００４】
【特許文献１】特開平４−９０６３４号公報（特に、第６図）
【発明の概要】
【発明が解決しようとする課題】
【０００５】
近年、前記制御信号のデータ量に対して前記リモートコントローラで制御される機器の機能が増えたために、前記制御信号の長さを変更してデータ量を増加させて、前記機器の機能に対応することが考えられている。
【０００６】
しかし、前記制御信号を長くすると、前記機器が前記制御信号の受信に失敗する可能性が高まるという虞があった。
【０００７】
そこで、前記制御信号の長さを変えずに増加したデータ量に対応するために、任意の送信データを有する第一の制御信号のみと、前記第一の制御信号とは異なるデータを有する第二の制御信号のみ、および、前記第一の制御信号と前記第二の制御信号とを組み合わせて送信するリモートコントローラが考えられる。
【０００８】
しかし、前記第一の制御信号と前記第二の制御信号とを組み合わせて送信する場合に、前記機器側では、前記制御信号の受信に失敗して、前記第一の制御信号あるいは前記第二の制御信号のみを受信し、組み合わせて送信された他の前記第二の制御信号や前記第一の制御信号を受信せず、前記リモートコントローラを操作した操作者が望んだ制御とは異なる制御を前記機器が行う虞があった。
【０００９】
そこで、本発明は前述した問題点に着目し、制御信号の長さを抑え、制御信号の受信の失敗を低減することが可能な制御装置を提供することを目的とする。
【課題を解決するための手段】
【００１０】
本発明は、所定のフォーマット内に複数種類の送信データを組み合わせてなる制御信号を被制御機器に送信可能な制御装置において、前記制御信号の送信種類として、１種類の前記制御信号のみの送信と、前記送信データの一部が異なる複数種類の前記制御信号の連続送信と、が可能であり、前記制御信号に、前記制御信号の送信種類を判別する送信種類判別データ部を設けてなることを特徴とする。
【発明の効果】
【００１１】
本発明によれば、所期の目的を達成でき、制御信号の長さを抑え、制御信号の受信の失敗を低減することが可能な制御装置を提供することができる。
【図面の簡単な説明】
【００１２】
【図１】本発明の実施形態であるリモートコントローラと空気調和機の電気的構成を示すブロック図。
【図２】第一の制御信号を示す図。
【図３】第二の制御信号を示す図。
【図４】第一の制御信号と第二の制御信号とを示す図。
【発明を実施するための形態】
【００１３】
以下、本発明の一実施形態を添付図面を用いて説明する。
【００１４】
本実施形態のリモートコントローラ（制御装置）１は、キー入力手段２と、制御手段３と、記憶部４と、送受信手段５と、表示手段６を有する。Ａは、リモートコントローラで制御される被制御機器で、本実施形態では空気調和機であり、リモートコントローラ１からの制御信号によって制御されるものである。
【００１５】
キー入力手段２は、例えばプッシュスイッチやタッチパネルスイッチ等からなり、空気調和機Ａの制御に関する各種操作を行うものである。
【００１６】
制御手段３は、主にマイクロコンピュータによって構成されるものであり、所定のプログラムを実行するためのＣＰＵと、前記プログラムが記憶されたＲＯＭと、演算結果等を一時的に記憶するＲＡＭと、空気調和機Ａの運転を制御するために制御信号を出力するための駆動回路と、キー入力手段２からの制御信号を入力するためのインターフェイス部等を有している。
【００１７】
制御手段３は、キー入力手段２からの制御信号を受けて、キー入力手段２を操作したときにリモートコントローラ１の状態に応じて、複数種類の送信データを所定のフォーマット内に組み合わせて制御信号を生成する。また、制御手段３は、空気調和機Ａの運転状態を検出し、運転中の運転機能に応じた設定状態を表示手段６に表示させる。
【００１８】
記憶部４は、各種運転機能における設定可能範囲等の各種データを不揮発的に記録するものであり、例えばＥＥＰＲＯＭからなる。
【００１９】
送受信手段５は、赤外線発光ダイオード及び赤外線センサ等を備え、制御手段３の前記制御信号を赤外線送信信号により空気調和機Ａに送信する。また、空気調和機Ａからの赤外線送信信号を受信するものでもある。なお、送受信手段５の伝送路は、リモートコントローラ１と空気調和機Ａを通信線で接続した有線方式でもよい。
【００２０】
表示手段６は、表示素子として例えばドットマトリクス型などの液晶表示素子を備えるものであり、その表示内容を設定状況に応じて変更できるものが用いられる。
【００２１】
次に、リモートコントローラ１と空気調和機Ａの通信について説明する。リモートコントローラ１は、制御信号として前記送信データの一部が異なる第一，第二の制御信号Ｃ１，Ｃ２を送信可能であり、制御信号の送信種類として、第一，第二の制御信号Ｃ１，Ｃ２のうち１種類のみの送信と、第一，第二の制御信号Ｃ１，Ｃ２を連続しての送信と、が可能となっている。なお、ここで言う「制御信号の送信種類」には、前記制御信号の種類と、前記制御信号の１種類のみの送信であるか複数種類の連続送信であるか否か、が含まれる。
【００２２】
図２は、リモートコントローラ１が空気調和機Ａに第一の制御信号Ｃ１のみを送信する場合を示すものである。第一の制御信号Ｃ１は、例えば、９６ビットなどの限られた所定のフォーマットであり、このフォーマット内に、空気調和機Ａを制御する種々の送信データを格納している。この第一の制御信号Ｃ１に格納される送信データとしては、頻繁に使用されるデータが好ましい。
【００２３】
例えば、キー入力手段２によって空気調和機Ａの制御である設定温度上昇の操作がなされると、リモートコントローラ１は、設定温度を摂氏１度上昇させる送信データを有する第一の制御信号Ｃ１を生成し、２回出力する。２回出力される第一の制御信号Ｃ１の間隔は、例えば１５ミリ秒である。なお、第一の制御信号Ｃ１を２回出力するのは送受信の失敗を考慮してであり、第一の制御信号Ｃ１の出力は１回でもよい。
【００２４】
第一の制御信号Ｃ１には、制御信号の送信種類を判別するための送信種類判別データ部Ｄ１を備えており、図２の場合においては、この送信種類判別データ部Ｄ１には、「第一の制御信号Ｃ１のみを送信する」というデータが格納されている。
【００２５】
空気調和機Ａでは、第一の制御信号Ｃ１の送信種類判別データ部Ｄ１によって第一の制御信号Ｃ１に続けて第二の制御信号Ｃ２が送信されないことを判定し、第一の制御信号Ｃ１の受信をもって受信処理を正常に受信完了したものと判別することができる。
【００２６】
図３は、リモートコントローラ１が空気調和機Ａに第二の制御信号Ｃ２のみを送信する場合を示すものである。
【００２７】
第二の制御信号Ｃ２は、第一の制御信号Ｃ１と同様に、９６ビットなどの限られた所定のフォーマットであり、このフォーマット内に、空気調和機Ａを制御する送信データを格納している。この第二の制御信号Ｃ２に格納される送信データとしては、第一の制御信号Ｃ１に含まれる送信データとは異なる使用頻度の少ないデータが好ましい。
【００２８】
例えば、キー入力手段２によって空気調和機Ａの制御である風向設定の操作がなされると、リモートコントローラ１は、風向を変更する送信データを有する第二の制御信号Ｃ２を生成し、第二の制御信号Ｃ２を２回出力する。２回出力される第二の制御信号Ｃ２の間隔は、第一の制御信号Ｃ１の場合と同様とする。なお、第二の制御信号Ｃ２の出力回数は１回でもよい。
【００２９】
第二の制御信号Ｃ２には、制御信号の送信種類を判別するための送信種類判別データ部Ｄ２を備えており、図３の場合においては、この送信種類判別データ部Ｄ２には、「第二の制御信号Ｃ２のみを送信する」というデータが格納されている。
【００３０】
空気調和機Ａでは、第二の制御信号Ｃ２の送信種類判別データ部Ｄ２によって第二の制御信号Ｃ２に先行して第一の制御信号Ｃ１が送信されないことを判定し、第二の制御信号Ｃ２の受信をもって受信処理を正常に受信完了したものと判別することができる。
【００３１】
図４は、リモートコントローラ１が空気調和機Ａに第一の制御信号Ｃ１と第二の制御信号Ｃ２とを連続して送信する場合を示すものである。
【００３２】
例えば、キー入力手段２によって空気調和機Ａの制御である運転メニューの設定値変更（ここでは省電力運転メニューの変更と自動掃除機能有効無効メニューの変更とする）の操作がなされ、さらにメニュー設定値の変更を決定する操作がなされると、リモートコントローラ１は、省電力運転メニューを変更する送信データを有する第一の制御信号Ｃ１と自動掃除機能有効無効メニューを変更する送信データを有する第二の制御信号Ｃ２とを生成し、第一の制御信号Ｃ１を２回出力し、あらかじめ規定された間隔時間（例えば１２５ミリ秒）後に、第二の制御信号Ｃ２を２回出力する。なお、第一、第二の制御信号Ｃ１、Ｃ２の出力回数は、１回でもよい。
【００３３】
この時に出力される第一，第二の制御信号Ｃ１，Ｃ２の送信種類判別データ部Ｄ１，Ｄ２には、「第一の制御信号Ｃ１と第二の制御信号Ｃ２とを連続して送信する」というデータが格納されている。
【００３４】
空気調和機Ａでは、第一の制御信号Ｃ１の送信種類判別データ部Ｄ１によって第一の制御信号Ｃ１に続けて第二の制御信号Ｃ２が送信されることを判定し、第一の制御信号Ｃ１に続く第二の制御信号Ｃ２の受信をもって受信処理を正常に受信完了したものと判別することができる。
【００３５】
仮に、空気調和機Ａにて、「第一の制御信号Ｃ１と第二の制御信号Ｃ２とを連続して送信する」というデータを含む第一の制御信号Ｃ１を受信したにもかかわらず、前記間隔時間経過後も第二の制御信号Ｃ２を受信できない場合には、第二の制御信号Ｃ２が欠損したと判定できる。
【００３６】
また、空気調和機Ａにて、第一の制御信号Ｃ１の受信がない状態で第二の制御信号Ｃ２から受信した場合には、第二の制御信号Ｃ２の送信種類判別データ部Ｄ２によって第二の制御信号Ｃ２に先行して第一の制御信号Ｃ１が送信されることを判定し、第一の制御信号Ｃ１が欠損したと判定できる。
【００３７】
なお、本実施形態においては、空気調和機Ａと別体に設けられるリモートコントローラ１であったが、本発明の制御装置は、被制御機器と一体的に設けられる操作パネルであってもよい。
【００３８】
以上のように構成したことによって、制御信号のフォーマットの長さを変更することなく、増加したデータ量に対しては、異なるデータを格納した制御信号を送信することで対応することができる。
【００３９】
また、制御信号の長さを抑え制御信号の受信の失敗を低減することができる。また、異なる種類の制御信号Ｃ１，Ｃ２それぞれに送信種類判別データ部Ｄ１，Ｄ２を設けることにより、異なる種類の制御信号のうち１種類のみを送信する制御と複数種類を連続して送信する制御を制御内容に応じて選択可能であり、制御信号の送信に際しての消費電力の増加を抑えることができる。
【産業上の利用可能性】
【００４０】
本発明は、所定のフォーマット内に複数種類のデータを組み合わせて被制御機器に送信する制御装置に好適である。
【符号の説明】
【００４１】
Ａ    空気調和機（被制御機器）
Ｃ１  第一の制御信号
Ｃ２  第二の制御信号
Ｄ１，Ｄ２  送信種類判別データ部
１    リモートコントローラ（制御装置）
２    キー入力手段
３    制御手段
４    記憶部
５    送受信手段
６    表示手段
【図１】
2010245827.tif 000003
【図２】
2010245827.tif 000004
【図３】
2010245827.tif 000005
【図４】
2010245827.tif 000006